(57)【特許請求の範囲】
【請求項１】
バッテリーポストを内側で把持可能な把持部と、前記把持部の端部から延びるように対で配置された締付部と、を有するバッテリーポスト端子と、
前記締付部の一側に配置される第１テーパ部材と、
前記締付部を挟んで前記第１テーパ部材と反対側に配置される第２テーパ部材と、
を備え、
前記第１テーパ部材と前記第２テーパ部材は、締付ネジ構造を介して互いに連結され、
前記第１テーパ部材には、前記締付ネジ構造のネジ軸の向きに対して傾斜した第１テーパ面が形成され、
前記第２テーパ部材には、前記締付ネジ構造のネジ軸の向きに対して前記第１テーパ面とは逆向きに傾斜した第２テーパ面が形成され、
前記締付部のそれぞれには、
前記第１テーパ面に対応する向きに形成されて当該第１テーパ面に接触可能な第１傾斜面と、
前記第２テーパ面に対応する向きに形成されて当該第２テーパ面に接触可能であり、前記第１傾斜面とは逆向きに傾斜した第２傾斜面と、
が形成され、
それぞれの前記締付部において、前記第１傾斜面は、前記第２傾斜面より前記把持部に近い側と、前記把持部から見て前記第２傾斜面より遠い側と、の両方に配置されていることを特徴とするバッテリーポスト端子組立体。
【請求項２】
請求項１に記載のバッテリーポスト端子組立体であって、
前記第１テーパ部材には、前記第２テーパ部材に近づく向きに突出する第１突起が対で形成され、
前記第２テーパ部材には、前記第１テーパ部材に近づく向きに突出する第２突起が対で形成され、
前記第１突起の前記締付部側を向く面に前記第１テーパ面が配置され、
前記第２突起の前記締付部側を向く面に前記第２テーパ面が配置されることを特徴とするバッテリーポスト端子組立体。
【請求項３】
請求項２に記載のバッテリーポスト端子組立体であって、
前記第１突起は４つ形成され、
前記第２突起は２つ形成され、
前記第２突起のそれぞれは、４つのうちの２つの前記第１突起の間に差し込まれていることを特徴とするバッテリーポスト端子組立体。
【請求項４】
請求項１から３までの何れか一項に記載のバッテリーポスト端子組立体であって、
前記第１テーパ面は、前記締付ネジ構造のネジ軸の向きに対して、一側に傾斜しており、
前記第２テーパ面は、前記締付ネジ構造のネジ軸の向きに対して、前記第１テーパ面の傾斜角度とほぼ同じ角度で前記第１テーパ面とは逆向きに傾斜していることを特徴とするバッテリーポスト端子組立体。
【請求項５】
請求項１から４までの何れか一項に記載のバッテリーポスト端子組立体であって、
前記締付ネジ構造のネジ軸が、前記バッテリーポストの中心軸と平行に配置されることを特徴とするバッテリーポスト端子組立体。
【請求項６】
請求項１から５までの何れか一項に記載のバッテリーポスト端子組立体であって、
前記把持部の内面に凹凸が形成されていることを特徴とするバッテリーポスト端子組立体。
【発明の詳細な説明】
【技術分野】
【０００１】
本発明は、バッテリーポスト端子を含むバッテリーポスト端子組立体の構成に関する。
【背景技術】
【０００２】
従来から、車両に搭載されるバッテリーのバッテリーポストに固定されるバッテリーポスト端子が知られている。特許文献１及び特許文献２は、この種のバッテリーポスト端子を開示する。
【０００３】
特許文献１のバッテリーポスト端子は、バッテリーポストの周側面に面接触するバッテリーポスト挿入孔を形成してなる環状部と、所定の間隔をあけて対向し近付く方向に移動させるとバッテリーポスト挿入孔の径を縮小させる１対の締付部と、外側に略Ｌ字形に屈曲して形成される１対の屈曲部と上面がスタッドボルトの座面となる平面図とを有する電気接続部と、を備え、平面部の座面高さ位置が環状部の下面の位置近傍に形成される構成となっている。特許文献１は、この構成により、スタッドボルトの座面の高さ位置を低くし、バッテリーポスト端子の上部に取り付けられる他の部品と干渉することが無くなるとする。
【０００４】
特許文献２のバッテリーポスト端子は、傾斜面が形成された左右の伸張部、及び左右の伸張部が狭まるように押圧することでバッテリーポストの側面を両側から挟み込む電極嵌合部を有するバッテリーポスト端子と、４つの脚部を有し、脚部それぞれに、傾斜面と同じ傾斜角度を有するスロープが形成され、スロープを傾斜面に接触させつつ上下に移動することで左右の伸張部を押圧するスロープ部材と、スロープ部材を上下に移動させるボルトと、を備え、バッテリーポスト端子を垂直方向から見て、ねじ部を中心に、４つの脚部をねじ部の外周に沿って間隔を空けて配置する構成となっている。特許文献２は、この構成により、多方向に作用する力をバランス良く受けることができ、かつ取付作業性や部品コストの点でも優れたバッテリーポスト端子の固定構造を実現できるとする。
【先行技術文献】
【特許文献】
【０００５】
【特許文献１】特開２０１５−１１７９２号公報
【特許文献２】国際公開第２０１４／１２９５３４号
【発明の概要】
【発明が解決しようとする課題】
【０００６】
上記特許文献１の構成は、バッテリーポストを締め付けるときに、バッテリーポスト端子を両側から挟むように接触する上ブラケット及び下ブラケットが、バッテリーポスト端子と小さな面積で接触する。従って、締付力が局所的となり、バッテリーポスト端子を均一に締め付けることが難しかった。また、上記特許文献１の構成は、バッテリーポスト端子と上ブラケット及び下ブラケットが接触する面において、上ブラケット及び下ブラケットのみに傾斜が設けられている（バッテリーポスト端子には傾斜が設けられていない）。従って、バッテリーポスト端子の締付力が不足したり、あるいは、上ブラケット及び下ブラケット側にバッテリーポスト端子が食い込んだりして耐久性が不十分になる点で改善の余地があった。
【０００７】
また、上記特許文献２の構成では、バッテリーポスト端子を両側から挟むように接触するスロープ部材及びボルトのうち、スロープ部材のみに傾斜面が形成されており、バッテリーポストを締め付けるときに、この傾斜面がバッテリーポスト端子と接触することでクランプ力を発生させる。従って、クランプ力が偏り易くなるとともに、スロープ部材にバッテリーポスト端子が強く食い付いて緩めることが困難になる等の点で改善の余地があった。
【０００８】
本発明は以上の事情に鑑みてされたものであり、その目的は、バッテリーポストにバッテリーポスト端子を十分な締付力でバランス良く固定可能なバッテリーポスト端子組立体を提供することにある。
【課題を解決するための手段及び効果】
【０００９】
本発明の解決しようとする課題は以上の如くであり、次にこの課題を解決するための手段とその効果を説明する。
【００１０】
本発明の観点によれば、以下の構成のバッテリーポスト端子組立体が提供される。即ち、このバッテリーポスト端子組立体は、バッテリーポスト端子と、第１テーパ部材と、第２テーパ部材と、を備える。前記バッテリーポスト端子は、把持部と、締付部と、を有する。前記把持部は、バッテリーポストを内側で把持可能である。前記締付部は、前記把持部の端部から延びるように対で配置される。前記第１テーパ部材は、前記締付部の一側に配置される。前記第２テーパ部材は、前記締付部を挟んで前記第１テーパ部材と反対側に配置される。前記第１テーパ部材と前記第２テーパ部材は、締付ネジ構造を介して互いに連結される。前記第１テーパ部材には、前記締付ネジ構造のネジ軸の向きに対して傾斜した第１テーパ面が形成される。前記第２テーパ部材には、前記締付ネジ構造のネジ軸の向きに対して前記第１テーパ面とは逆向きに傾斜した第２テーパ面が形成される。前記締付部のそれぞれには、第１傾斜面と、第２傾斜面と、が形成される。前記第１傾斜面は、前記第１テーパ面に対応する向きに形成されて当該第１テーパ面に接触可能である。前記第２傾斜面は、前記第２テーパ面に対応する向きに形成されて当該第２テーパ面に接触可能であり、前記第１傾斜面とは逆向きに傾斜する。それぞれの前記締付部において、前記第１傾斜面は、前記第２傾斜面より前記把持部に近い側と、前記把持部から見て前記第２傾斜面より遠い側と、の両方に配置されている。
【００１１】
これにより、２組のテーパ面と傾斜面とによって力を分散させながら締付部に力を加えてバッテリーポストを締め付けることができるので、テーパ部材が締付部に局所的に食い込んで耐久性を低下させることを防止できる。また、力をより分散させることができるとともに、締付部に対して力を偏らせずに加えることができるので、安定した締付けを実現できる。
【００１４】
前記のバッテリーポスト端子組立体においては、以下の構成とすることが好ましい。即ち、前記第１テーパ部材には、前記第２テーパ部材に近づく向きに突出する第１突起が対で形成される。前記第２テーパ部材には、前記第１テーパ部材に近づく向きに突出する第２突起が対で形成される。前記第１突起の前記締付部側を向く面に前記第１テーパ面が配置される。前記第２突起の前記締付部側を向く面に前記第２テーパ面が配置される。
【００１５】
これにより、簡素な構成で、力を分散させつつ締め付けることができる。
【００１６】
前記のバッテリーポスト端子組立体においては、以下の構成とすることが好ましい。即ち、前記第１突起は４つ形成される。前記第２突起は２つ形成される。前記第２突起のそれぞれは、４つのうちの２つの前記第１突起の間に差し込まれている。
【００１７】
これにより、第１テーパ部材と第２テーパ部材をコンパクトに配置することができる。
【００１８】
前記のバッテリーポスト端子組立体においては、以下の構成とすることが好ましい。即ち、前記第１テーパ面は、前記締付ネジ構造のネジ軸の向きに対して、一側に傾斜している。前記第２テーパ面は、前記締付ネジ構造のネジ軸の向きに対して、前記第１テーパ面の傾斜角度とほぼ同じ角度で前記第１テーパ面とは逆向きに傾斜している。
【００１９】
これにより、締付力に偏りを生じさせず、均等に加えることができる。
【００２０】
前記のバッテリーポスト端子組立体においては、前記締付ネジ構造のネジ軸が、前記バッテリーポストの中心軸と平行に配置されることが好ましい。
【００２１】
これにより、バッテリーポストの周辺のコンパクトな配置を実現できるとともに、締付ネジ構造を締め付けたり緩めたりする作業が簡単になる。
【００２２】
前記のバッテリーポスト端子組立体においては、前記把持部の内面に凹凸が形成されていることが好ましい。
【００２３】
これにより、バッテリーポストを強力に把持することができる。
【図面の簡単な説明】
【００２４】
【図１】本発明の一実施形態に係るバッテリーポスト端子組立体をバッテリーポストに取り付ける様子を示す斜視図。
【図２】バッテリーポスト端子組立体の全体的な構成を示す斜視図。
【図３】バッテリーポスト端子組立体の分解組立斜視図。
【図４】ホルダにナットが組み付けられる様子を示す断面図。
【図５】締付ネジ構造により締め付けられる前のバッテリーポスト端子組立体の様子を示す斜視図。
【図６】締付ネジ構造による締付けによって生じるバッテリーポスト端子の締付力を説明する、図５のＢ方向で見た模式図。
【図７】変形例において、ホルダにナットが組み付けられる様子を示す断面図。
【発明を実施するための形態】
【００２５】
次に、図面を参照して本発明の実施の形態を説明する。図１は、本発明の一実施形態に係るバッテリーポスト端子組立体３をバッテリーポスト２に取り付ける様子を示す斜視図である。図２は、バッテリーポスト端子組立体３の全体的な構成を示す斜視図である。図３は、バッテリーポスト端子組立体３の分解組立斜視図である。
【００２６】
図１及び図２に示すように、バッテリーポスト端子組立体３は、バッテリーポスト端子４と、ホルダ部材（第１テーパ部材）５と、ベース部材（第２テーパ部材）６と、ナット７と、を備えている。
【００２７】
図１に示すように、バッテリーポスト端子４は、車両等のエンジンルームに配置され、バッテリー１のバッテリーポスト２と、ワイヤハーネスと、を接続する端子である。バッテリーポスト端子４は、導電性を有する適宜の金属材料からなる板部材に曲げ加工等を行うことで成形される。
【００２８】
図２に示すように、ホルダ部材５とベース部材６の間に、バッテリーポスト端子４の一部（具体的には、後述の締付部４２）が配置されている。この状態から、バッテリーポスト端子４が備える把持部４１をバッテリーポスト２に装着し、ナット７等からなる締付ネジ構造を締め付けることで、バッテリーポスト端子組立体３をバッテリーポスト２に固定できるように構成されている。なお、締付ネジ構造の詳細は後述する。
【００２９】
続いて、図３を参照しながら、バッテリーポスト端子組立体３が備える各構成部品について説明する。
【００３０】
バッテリーポスト端子４は、把持部４１と、２つの締付部４２と、を備えている。
【００３１】
把持部４１は、図３に示すように一部が途切れた円環状（言い換えれば、円弧状）に形成されており、その内側に円錐台形の差込空間４４が形成されている。差込空間４４には、円錐台状に形成されたバッテリーポスト２（図１）を差し込むことができるように構成されている。なお、以後の説明では、円錐台形状に形成された差込空間４４の中心軸を差込軸４４Ａと呼ぶことがある。
【００３２】
図３に示すように、把持部４１の内壁には、細長い矩形状に形成された溝４４ｖが複数形成されている。溝４４ｖは周方向に一定の間隔で並べて配置されている。また、それぞれの溝４４ｖは差込軸４４Ａにほぼ沿うように向けられている。この溝４４ｖによって生じる把持部４１内側の凹凸形状によって、バッテリーポスト２を強力に把持することができる。
【００３３】
締付部４２は、円弧状の把持部４１の両端から延びるように１対で配置され、把持部４１と一体的に形成されている。２つの締付部４２の間には空間が形成されており、締付部４２同士を互いに近づけるように移動させることで、差込空間４４の径が減少するように把持部４１を変形させ、これによりバッテリーポスト２を締め付けて把持することができる。
【００３４】
それぞれの締付部４２は、２つの第１傾斜部４５，４７と、１つの第２傾斜部４６と、を備えている。第２傾斜部４６は、把持部４１に近い側の第１傾斜部４５と、把持部４１から遠い側の第１傾斜部４７と、の間に配置されている。第１傾斜部４５，４７及び第２傾斜部４６は、何れも平板状に形成され、締付部４２に一体的に形成されている。１対の締付部４２が有する第１傾斜部４５，４７及び第２傾斜部４６は、互いに対称となるように配置されている。また、１対の締付部４２が有する第２傾斜部４６同士の間に、ベース部材６が備えるネジ部６１を差し込むことができるように構成されている。
【００３５】
把持部４１に近い側の第１傾斜部４５は、把持部４１の端部と繋がるように配置されている。また、この第１傾斜部４５は、前記ネジ部６１の軸（ネジ軸６１Ａ）の方向に対して一側に傾斜する第１傾斜面４５ｆを有している。本実施形態において、それぞれの締付部４２において把持部４１に近い側に位置する第１傾斜部４５の第１傾斜面４５ｆ同士は、バッテリーポスト２の根元側から先端側に近づくに従って間隔を減少させるように配置されている。
【００３６】
第２傾斜部４６は、前記の第１傾斜部４５を挟んで把持部４１と反対側に配置されている。第２傾斜部４６は、前記ネジ軸６１Ａに対して、第１傾斜面４５ｆとは逆向きでほぼ同じ傾斜角度で傾斜する第２傾斜面４６ｆを有している。従って、それぞれの締付部４２における第２傾斜部４６の第２傾斜面４６ｆ同士は、バッテリーポスト２の根元側から先端側に近づくに従って間隔を増大させるように配置されている。
【００３７】
把持部４１から遠い側の第１傾斜部４７は、第２傾斜部４６を挟んで第１傾斜部４５と反対側に配置されている。この第１傾斜部４７は、前記ネジ軸６１Ａに対して、第１傾斜面４５ｆと同じ向きにほぼ同じ傾斜角度で傾斜する第１傾斜面４７ｆを有している。従って、それぞれの締付部４２において把持部４１から遠い側に位置する第１傾斜部４７の第１傾斜面４７ｆ同士は、バッテリーポスト２の根元側から先端側に近づくに従って間隔を減少させるように配置されている。
【００３８】
先端部４８は、２つの締付部４２のうち一方において、把持部４１から遠い側の第１傾斜部４７に連続するように形成されている。この先端部は、締付部４２の先端部からほぼ垂直に折れ曲がって、他方の締付部４２の先端に向かって延び、２つの締付部４２の間に形成されている空間を閉鎖するように配置されている。
【００３９】
ホルダ部材５は、締付部４２の一側に配置されている。このホルダ部材５は、平板部５１と、４つの脚部（第１突起）５２と、を備えている。
【００４０】
平板部５１は、平板状の部分として形成され、その厚み方向がネジ軸６１Ａと平行となるように配置されている。また、平板部５１は細長い矩形状に形成され、その長手方向は、１対の締付部４２が並ぶ方向と一致している。また、平板部５１の中央には、ベース部材６が備えるネジ部６１を差し込むことが可能な貫通状の円形孔５３が形成されている。
【００４１】
脚部５２は、平板部５１の４隅から平板部５１に対して垂直に（ベース部材６が備える台座部６２に近づく向きに）突出するように配置され、平板部５１と一体的に形成されている。これらの脚部５２は、何れも平板状の突起として形成されている。脚部５２は、平板部５１の長手方向一側に２つ、他側に２つそれぞれ配置されており、それぞれの脚部５２が当該平板部５１の長手方向で互いに向かい合う面（言い換えれば、締付部４２側を向く面）には、脚部テーパ面（第１テーパ面）５２ｆが形成されている。
【００４２】
この脚部テーパ面５２ｆは、前記締付部４２に形成された第１傾斜面４５ｆ，４７ｆに対応する傾斜を有するように構成されている。具体的に言えば、脚部テーパ面５２ｆは、上記のネジ軸６１Ａの向きに対して傾斜しており、この傾斜の向きは第１傾斜面４５ｆ，４７ｆの傾斜の向きと同じであって、その大きさもほぼ等しくなっている。従って、脚部テーパ面５２ｆは、平板部５１の長手方向で互いに向かい合う脚部テーパ面５２ｆとの間隔を、バッテリーポスト２の根元側から先端側に近づくに従って減少させるように配置されている。
【００４３】
平板部５１の長手方向一側に配置された２つの脚部５２の間には、一側の締付部４２が有する第２傾斜部４６と、ベース部材６が備える一側の側壁部６３と、を差し込むことができる。同様に、平板部５１の長手方向他側に配置された２つの脚部５２の間には、他側の締付部４２が有する第２傾斜部４６と、ベース部材６が備える他側の側壁部６３と、を差し込むことができる。
【００４４】
ベース部材６は、締付部４２を挟んでホルダ部材５と反対側に配置されている。このベース部材６は、ネジ部６１と、台座部６２と、２つの側壁部（第２突起）６３と、を備えている。
【００４５】
ネジ部６１は、細長い丸棒状に形成されており、その軸（ネジ軸６１Ａ）が差込軸４４Ａと平行となるように配置されている。このネジ部６１は、平板部５１に形成された円形孔５３に差し込むことができる。また、ネジ部６１にはオネジが形成されており、ナット７とネジ結合することができる。
【００４６】
台座部６２は、平板状の部分として形成され、その厚み方向がネジ部６１の軸と平行となるように配置されている。また、台座部６２は細長い矩形状に形成され、その長手方向は、１対の締付部４２が並ぶ方向と一致している。台座部６２の中央には、ネジ部６１の一端が固定されている。
【００４７】
側壁部６３は、台座部６２の長手方向の両端からネジ部６１と平行に突出するように（ホルダ部材５が備える平板部５１に近づく向きに）１対で配置されている。ただし、側壁部６３が突出する長さは、ネジ部６１の突出する長さより短くなっている。１対の側壁部６３がネジ部６１を挟んで互いに向かい合う面（言い換えれば、締付部４２側を向く面）には、側壁部テーパ面（第２テーパ面）６３ｆが形成されている。
【００４８】
この側壁部テーパ面６３ｆは、前記締付部４２に形成された第２傾斜面４６ｆに対応する傾斜を有するように構成されている。具体的に言えば、側壁部テーパ面６３ｆは、上記のネジ軸６１Ａの向きに対して傾斜しており、この傾斜の向きは第２傾斜面４６ｆの傾斜の向きと同じであって、その大きさもほぼ等しくなっている。従って、側壁部テーパ面６３ｆは、台座部６２の長手方向で互いに向かい合う側壁部テーパ面６３ｆとの間隔を、バッテリーポスト２の根元側から先端側に近づくに従って増大させるように配置されている。
【００４９】
ナット７は、６角部７１と、差込部７３と、を備えている。
【００５０】
６角部７１は、ほぼ正６角柱状に構成されており、適宜の工具により力を加えて回転させることができる。６角部７１の中央には貫通状の軸孔７４が形成されており、この軸孔７４にはメネジが形成されている。従って、この軸孔７４にベース部材６のネジ部６１をネジ結合させることができる。
【００５１】
差込部７３は、６角部７１の軸方向一側に一体的に形成された薄肉円筒状の部分であり、ホルダ部材５の円形孔５３に差し込むことが可能なように構成されている。
【００５２】
次に、バッテリーポスト端子組立体３の組立工程について、図３から図６までを参照しながら説明する。図３は、バッテリーポスト端子組立体３の分解組立斜視図である。図４は、ホルダ部材５にナット７が組み付けられる様子を示す、図３のＡ−Ａ断面矢視図である。図５は、締付ネジ構造により締め付けられる前のバッテリーポスト端子組立体３の様子を示す斜視図である。図６は、締付ネジ構造による締付けによって生じるバッテリーポスト端子４の締付力を説明する、図５のＢ方向で見た模式図である。
【００５３】
組立作業者は、図３に示すようにネジ軸６１Ａと差込軸４４Ａとを平行にした状態で、ベース部材６のネジ部６１をバッテリーポスト端子４の１対の締付部４２の間に（バッテリーポスト２の根元側から）差し込み、更に、ホルダ部材５の円形孔５３を通過させて、その先端にナット７を取り付ける。これにより、ホルダ部材５とベース部材６とが締付ネジ構造により互いに連結される。なお、本実施形態においては、ネジ軸６１Ａがバッテリーポスト２の中心軸２Ａ（言い換えれば、差込軸４４Ａ）と平行に配置されているため、バッテリーポスト２の周辺のコンパクトな配置を実現できるとともに、ナット７を回転させる作業も容易である。
【００５４】
ナット７を締め付ける方向にある程度回転させた状態が図５に示され、この状態のバッテリーポスト端子組立体３では、ホルダ部材５が有する脚部テーパ面５２ｆが第１傾斜面４５ｆ，４７ｆに軽く接触し、また、ベース部材６が有する側壁部テーパ面６３ｆが第２傾斜面４６ｆに軽く接触した状態になる。
【００５５】
この状態で、作業者は、把持部４１の差込空間４４にバッテリーポスト２を差し込むようにしてバッテリーポスト端子組立体３を当該バッテリーポスト２に装着し、その上でナット７を更に回転させて締め付ける。すると、図６の黒塗り矢印で示すように、ホルダ部材５とベース部材６に対して、互いに近づける方向の軸力が作用する。この結果、脚部テーパ面５２ｆから第１傾斜面４５ｆ，４７ｆに対して、１対の締付部４２の間隔を狭める方向にクランプ力Ｆ１が作用する。また、側壁部テーパ面６３ｆから第２傾斜面４６ｆに対して、１対の締付部４２の間隔を狭める方向にクランプ力Ｆ２が作用する。
【００５６】
このように、バッテリーポスト端子組立体３では、互いに向きの異なる傾斜面（第１傾斜面４５ｆ，４７ｆ及び第２傾斜面４６ｆ）が、同じ向きのクランプ力Ｆ１，Ｆ２を生じさせ、これにより把持部４１を締め付けてバッテリーポスト２を把持する構成になっている。従って、２つの傾斜面で力を分散させながら締付部４２に力を加えてバッテリーポスト２を締め付けることができるので、ホルダ部材５及びベース部材６が締付部４２に局所的に食い込んで耐久性を低下させたり、部材同士が強く食い付いてナット７を緩めても取り外しにくくなることを防止できる。また、傾斜の向きが反対である２つの傾斜面がクランプ力Ｆ１，Ｆ２の発生に関与するので、力の偏りが生じにくくなり、バッテリーポスト２の安定した把持を実現することができる。
【００５７】
なお、図６ではクランプ力Ｆ１を２つの矢印だけで示しているが、実際には脚部テーパ面５２ｆは４つ設けられているので、クランプ力Ｆ１は４箇所で発生する。即ち、脚部テーパ面５２ｆとともにクランプ力Ｆ１を発生させる第１傾斜面４５ｆ，４７ｆが、第２傾斜面４６ｆを挟むように配置されているので、締付部４２に対して加える力のバランスを良好に確保することができる。
【００５８】
また、本実施形態では、脚部テーパ面５２ｆのネジ軸６１Ａに対する傾斜角度と、側壁部テーパ面６３ｆのネジ軸６１Ａに対する傾斜角度とは、ネジ軸６１Ａに対して逆向きで、ほぼ同じ角度となるように形成されている。このように傾斜角度を対称的に定めることにより、２つの傾斜面からクランプ力Ｆ１，Ｆ２を均等に生じさせ易くなり、一層安定した把持を実現することができる。
【００５９】
以上に説明したように、本実施形態のバッテリーポスト端子組立体３は、バッテリーポスト端子４と、ホルダ部材５と、ベース部材６と、を備える。バッテリーポスト端子４は、把持部４１と、締付部４２と、を有する。把持部４１は、バッテリーポスト２を内側で把持可能である。締付部４２は、把持部４１の端部から延びるように対で配置される。ホルダ部材５は、締付部４２の一側に配置される。ベース部材６は、締付部４２を挟んでホルダ部材５と反対側に配置される。ホルダ部材５とベース部材６は、締付ネジ構造を介して互いに連結される。ホルダ部材５には、締付ネジ構造のネジ軸６１Ａの向きに対して傾斜した脚部テーパ面５２ｆが形成される。ベース部材６には、締付ネジ構造のネジ軸６１Ａの向きに対して脚部テーパ面５２ｆとは逆向きに傾斜した側壁部テーパ面６３ｆが形成される。締付部４２のそれぞれには、第１傾斜面４５ｆ，４７ｆと、第２傾斜面４６ｆと、が形成される。第１傾斜面４５ｆ，４７ｆは、脚部テーパ面５２ｆに対応する向きに形成されて脚部テーパ面５２ｆに接触可能である。第２傾斜面４６ｆは、側壁部テーパ面６３ｆに対応する向きに形成されて側壁部テーパ面６３ｆに接触可能であり、第１傾斜面４５ｆ，４７ｆとは逆向きに傾斜する。
【００６０】
これにより、脚部テーパ面５２ｆと第１傾斜面４５ｆ，４７ｆ、及び、側壁部テーパ面６３ｆと第２傾斜面４６ｆの２組の傾斜面同士で力を分散させながら締付部４２に力を加えてバッテリーポスト２を締め付けることができるので、ホルダ部材５及びベース部材６が締付部４２に局所的に食い込んで耐久性を低下させることを防止できる。
【００６１】
また、本実施形態のバッテリーポスト端子組立体３においては、それぞれの締付部４２において、第１傾斜面４５ｆは、第２傾斜面４６ｆより把持部４１に近い側に配置され、第１傾斜面４７ｆは、把持部４１から見て第２傾斜面４６ｆより遠い側に配置されている。
【００６２】
これにより、力をより分散させることができるとともに、締付部４２に対して力を偏らせずに加えることができるので、安定した締付けを実現できる。
【００６３】
また、本実施形態のバッテリーポスト端子組立体３においては、ホルダ部材５には、ベース部材６に近づく向きに突出する脚部５２が対で形成される。ベース部材６には、ホルダ部材５に近づく向きに突出する側壁部６３が対で形成される。脚部５２の締付部４２側を向く面に脚部テーパ面５２ｆが配置される。側壁部６３の締付部４２側を向く面に側壁部テーパ面６３ｆが配置される。
【００６４】
これにより、簡素な構成で、力を分散させつつ締め付けることができる。
【００６５】
また、本実施形態のバッテリーポスト端子組立体３においては、脚部テーパ面５２ｆは、締付ネジ構造のネジ軸６１Ａの向きに対して、一側に傾斜している。側壁部テーパ面６３ｆは、締付ネジ構造のネジ軸６１Ａの向きに対して、脚部テーパ面５２ｆの傾斜角度とほぼ同じ角度で脚部テーパ面５２ｆとは逆向きに傾斜している。
【００６６】
これにより、締付け力に偏りを生じさせず、均等に加えることができる。
【００６７】
また、本実施形態のバッテリーポスト端子組立体３においては、締付ネジ構造のネジ軸６１Ａが、バッテリーポスト２の中心軸２Ａと平行に配置される。
【００６８】
これにより、バッテリーポスト２の周辺のコンパクトな配置を実現できるとともに、締付ネジ構造を締め付けたり緩めたりする作業が簡単になる。
【００６９】
また、本実施形態のバッテリーポスト端子組立体３においては、把持部４１の内面に凹凸が形成されている。
【００７０】
これにより、バッテリーポスト２を強力に把持することができる。
【００７１】
次に、上記実施形態の変形例を説明する。図７は、変形例に係るバッテリーポスト端子組立体において、ナット７をホルダ部材５に分離不能に組み付ける様子を示す断面図である。
【００７２】
本変形例のバッテリーポスト端子組立体においては、ナット７をホルダ部材５に組み付ける工程において、差込部７３を円形孔５３に差し込んだ状態で、図７（ａ）に示すように、軸孔７４の軸７４Ａにその中心軸が一致するように加圧工具１０を近づけ、差込部７３に対して加圧する。加圧工具１０の直径は差込部７３の内径よりも大きいので、図７（ｂ）に示すように、差込部７３の円形孔５３からホルダ部材５の内部に突出していた部分に加圧工具１０を押し当てると、当該部分が円形孔５３の径方向外側に折り曲げられ、折曲げ部７３ａが形成される。この折曲げ加工により、ナット７がホルダ部材５から外れないように取り付けることができるので、バッテリーポスト端子組立体３を組み付ける作業が容易になる。なお、折曲げ部７３ａが形成された状態でもナット７はホルダ部材５に対して自由に回転することができるため、ナット７の締付けも問題なく行うことができる。また、ナット７とホルダ部材５とが連結されているので、仮に、ホルダ部材５の脚部５２がバッテリーポスト端子４の第１傾斜部４５，４７に食い込んだ場合であっても、ナット７を緩めた場合にホルダ部材５がナット７と一体となってバッテリーポスト端子４から離脱し、締付部４２を緩めることができる。
【００７３】
以上に本発明の好適な実施の形態及び変形例を説明したが、上記の構成は例えば以下のように変更することができる。
【００７４】
第１傾斜面４５ｆ，４７ｆ及び第２傾斜面４６ｆの傾斜の向きは、図３等に示すものに限らず、上下反転させることもできる。この場合、ホルダ部材５の平板部５１に円形孔５３を形成する代わりにネジ部を突出させて設け、ベース部材６の台座部６２にネジ部６１を設ける代わりに円形孔を形成し、ホルダ部材５が下側、ベース部材６が上側となるように配置すれば良い。
【００７５】
第１傾斜面４５ｆ，４７ｆの傾斜を、第２傾斜面４６ｆの傾斜よりきつくしたり緩くしたりすることもできる。
【００７６】
上記の実施形態において、第１傾斜面４５ｆ，４７ｆ、第２傾斜面４６ｆ、脚部テーパ面５２ｆ及び側壁部テーパ面６３ｆは、何れも平面状の傾斜面となっているが、湾曲面に変更することもできる。
【００７７】
上記の実施形態においては、脚部５２は４つ備えられているが、これに限らず、２つとすることもできる。この場合、把持部４１から遠い側の第１傾斜面４７ｆに接触する２つの脚部５２を省略するようにすると、把持部４１に近い側にクランプ力を効率的に作用させることができる点で好ましい。
【００７８】
把持部４１に設けられる溝４４ｖは、一定の間隔で細長い矩形状に形成されるとしたが、バッテリーポスト端子４のズレを防止できる構成であれば、溝４４ｖの間隔及び形状は適宜変更することができる。また、溝ではなく、例えば円状の凹部を多数形成することで凹凸を実現しても良い。
【００７９】
ネジ部６１の軸（ネジ軸６１Ａ）は、差込軸４４Ａと平行ではなく適宜傾けて配置しても良い。この場合、ナット７を締め付けることでホルダ部材５とベース部材６とを近付ける向きに作用する軸力を、１対の締付部４２の間隔を狭める方向に作用するクランプ力Ｆ１，Ｆ２に良好に変換できるように、第１傾斜面４５ｆ，４７ｆ及び第２傾斜面４６ｆの向きを適宜変更することが好ましい。
【００８０】
ベース部材６のネジ部６１からナット７を取り外した状態でもベース部材６がバッテリーポスト端子４から外れないように、バッテリーポスト端子４に抜け防止のための突起等を形成しても良い。この場合、組立作業性を向上させることができる。
【符号の説明】
【００８１】
２  バッテリーポスト
２Ａ  （バッテリーポストの）中心軸
３  バッテリーポスト端子組立体
４  バッテリーポスト端子
５  ホルダ部材（第１テーパ部材）
６  ベース部材（第２テーパ部材）
４１  把持部
４２  締付部
４５ｆ，４７ｆ  第１傾斜面
４６ｆ  第２傾斜面
５２  脚部（第１突起）
５２ｆ  脚部テーパ面（第１テーパ面）
６１Ａ  ネジ軸
６３  側壁部（第２突起）
６３ｆ  側壁部テーパ面（第２テーパ面）
【図１】
0006639936.tif 000002
【図２】
0006639936.tif 000003
【図３】
0006639936.tif 000004
【図４】
0006639936.tif 000005
【図５】
0006639936.tif 000006
【図６】
0006639936.tif 000007
【図７】
0006639936.tif 000008